(57)【要約】【課題】日常の口腔の手入れ時に簡単にかつ苦痛に感じることなく装着及び取外しができるようにした顎義歯を提供する。【解決手段】上顎義歯床(11)の粘膜側に栓塞子(14)を設ける。栓塞子は膨張・収縮可能な材料を用いて製作し、栓塞子を上顎義歯床の粘膜側の受け部(13)に気密的に結合するとともに、その内部には注入弁(15)によって気体が注入されて保持されるように設ける。注入弁によって栓塞子内に気体を注入し保持することにより栓塞子を上顎骨欠損部内方の欠損空間の立体形状をほぼ模した中空立体形状に膨らませて上顎骨欠損部内方の欠損空間を塞ぎ、栓塞子内の気体を注入弁から放出することにより栓塞子を収縮させて上顎骨欠損部内方の欠損空間から抜き取る。【選択図】  図１
2004194932.tif 000002
【特許請求の範囲】
【請求項１】
上顎義歯床に人工歯を設ける一方、上顎義歯床の粘膜側に栓塞子を設けてなる顎義歯において、
上記栓塞子は膨張・収縮可能な材料を用いて製作され、その膨張時には上顎骨欠損部内方の欠損空間の立体形状をほぼ模した中空立体形状をなす一方、
上記栓塞子は上記上顎義歯床の粘膜側の受け部に気密的に結合されるとともに、その内部には注入弁によって気体が注入されて保持されるように設けられており、
上記注入弁によって上記栓塞子内に気体が注入され保持されることにより上記栓塞子が所定の立体形状に膨らんで上記上顎骨欠損部内方の欠損空間を塞ぎ、上記栓塞子内の気体が上記注入弁から放出されることにより上記栓塞子が収縮して上記上顎骨欠損部内方の欠損空間から抜き取り可能となっていることを特徴とする顎義歯。
【請求項２】
上記義歯床には栓塞子を固定するための受け部が一体的に形成されている請求項１記載の顎義歯。
【請求項３】
上記義歯床には栓塞子を固定するための受け部が固定されている請求項２記載の顎義歯。
【請求項４】
上記注入弁が上記義歯床又は受け部に取付けられている請求項１ないし３のいずれかに記載の顎義歯。
【請求項５】
上顎義歯床に人工歯を設けるとともに上顎義歯床の粘膜側に栓塞子を設けてなる顎義歯を製造するにあたり、
上顎骨欠損部内方の欠損空間の立体形状をほぼ模した模型を製作し、
上記模型の表面に膨張・収縮可能な材料を塗布又は付着させ該膨張・収縮可能な材料を上記模型から剥がすことにより、膨張時に上顎骨欠損部内方の欠損空間の立体形状をほぼ模した中空立体形状をなし収縮時に上記上顎骨欠損部内方の欠損空間から抜き取り可能な栓塞子を製作し、
上顎義歯床の受け部に栓塞子を気密的に固定するとともに、上顎義歯床又は受け部に上記栓塞子内部に気体を注入して保持する一方上記栓塞子内の気体を放出する注入弁を設けるようにしたことを特徴とする顎義歯の製造方法。
【請求項６】
上記受け部を上顎義歯床に一体的に形成するか又は上顎義歯床に固定するようにした請求項５記載の顎義歯の製造方法。
【発明の詳細な説明】
【０００１】
【発明の属する技術分野】
本発明は顎義歯に関し、特に日常の口腔の手入れ時に簡単にかつ苦痛に感じることなく装着及び取外しができるようにした顎義歯に関する。
【０００２】
【従来の技術】
例えば、腫瘍等によって上顎骨や頬骨に欠損が生じることがある。また、病気の治療のために、施術によって上顎骨や頬骨を切除する必要が生じることがある。かかる場合、上顎骨や頬骨の欠損に起因して顔面の筋肉や皮膚組織が収縮して傷跡が残り、いわゆる瘢痕収縮が起こることが多く、手術を受けた患者の心理的負担が非常に大きいばかりでなく、開口障害を起こし，日常の会話に不便をきたすことがある。
【０００３】
そこで、合成樹脂材料、例えば義歯床用レジンを用いて上顎骨や頬骨の欠損部分及びその欠損空間を補綴する形状の中空状の栓塞子を製作し、栓塞子を義歯床に固定し、上顎骨の欠損箇所から内方の欠損空間内に差し込み、もって瘢痕収縮を軽減するようにした顎義歯が提案されている（例えば、特許文献１、特許文献２、参照）。
【０００４】
【特許文献１】特公昭５１−１３９５６号公報
【特許文献２】特開平０２−１２４１５７号公報
【０００５】
【発明が解決しようとする課題】
しかし、従来の顎義歯では合成樹脂材料、例えば義歯床用レジンを用いて栓塞子を所定形状に成形しているので、日常の口内の手入れ、例えば歯磨きをする際に顎義歯の装着及び取外しが非常に煩雑であるばかりでなく、装着及び取外し時に栓塞子が上顎骨や頬骨の表面の粘膜に触れ、使用者に激痛を与えるという問題があった。また、レジン製の栓塞子では硬くて欠損空間の隅々まで入れにくく、顔面（頬部）の動きや経時的な変化に対応できないという問題があった。
【０００６】
本発明はかかる問題点に鑑み、日常の口腔の手入れ時に簡単にかつ苦痛に感じることなく装着及び取外しができるようにした顎義歯を提供することを課題とする。
【０００７】
【課題を解決するための手段】
そこで、本発明に係る顎義歯は、上顎義歯床に人工歯を設ける一方、上顎義歯床の粘膜側に栓塞子を設けてなる顎義歯において、上記栓塞子は膨張・収縮可能な材料を用いて製作され、その膨張時には上顎骨欠損部内方の欠損空間の立体形状をほぼ模した中空立体形状をなす一方、上記栓塞子は上記上顎義歯床の粘膜側の受け部に気密的に結合されるとともに、その内部には注入弁によって気体が注入されて保持されるように設けられており、上記注入弁によって上記栓塞子内に気体が注入され保持されることにより上記栓塞子が所定の立体形状に膨らんで上記上顎骨欠損部内方の欠損空間を塞ぎ、上記栓塞子内の気体が上記注入弁から放出されることにより上記栓塞子が収縮して上記上顎骨欠損部内方の欠損空間から抜き取り可能となっていることを特徴とする。
【０００８】
本発明の特徴の１つは栓塞子を気体の注入によって膨張し、気体の放出によって収縮するようにした点にある。
【０００９】
これにより、栓塞子を収縮させて上顎骨欠損部からその内方の欠損空間に簡単に挿入し抜き取ることができるとともに、栓塞子を膨張させて上顎骨欠損部内方の欠損空間を塞ぐことができる。
【００１０】
その結果、瘢痕収縮を確実に防止することができ、又日常の口内の手入れをする際に顎義歯を簡単に取外し装着することができ、しかも装着及び取外しの際に栓塞子が上顎骨や頬骨の表面の粘膜に触れて使用者に激痛を与えることもない。さらには栓塞子が膨張収縮できるので、顔面の動きや経時的な変化にも迅速に対応できる。
【００１１】
栓塞子の材料は膨張・収縮可能な材料であればよく、例えば天然ゴム、合成ゴムあるいはプラスチック等の高分子を乳化させた各種ラテックス、ポリエステル等を用いることができる。
【００１２】
上顎義歯床及び人工歯は従来公知のものでよい。上顎義歯床の受け部は義歯床の製作時に一体的に形成してもよく、別体に製作して義歯床に固定するようにしてもよい。特に、後者の場合には既に使用中の義歯床に受け部を固定することによって本発明に係る顎義歯とすることができる。
【００１３】
注入弁は気体を注入して保持し放出できるものであればどのような構造や方式でもよい。また，この注入弁は栓塞子を上顎骨欠損部内方の欠損空間にセットした状態で栓塞子に気体を注入し又気体を放出させる必要があるので、上顎義歯床又はその受け部に設けるのがよい。
【００１４】
また、本発明に係る顎義歯の製造方法は、上顎義歯床に人工歯を設けるとともに上顎義歯床の粘膜側に栓塞子を設けてなる顎義歯を製造するにあたり、上顎骨欠損部内方の欠損空間の立体形状をほぼ模した模型を製作し、上記模型の表面に膨張・収縮可能な材料を塗布又は付着させ該膨張・収縮可能な材料を上記模型から剥がすことにより、膨張時に上顎骨欠損部内方の欠損空間の立体形状をほぼ模した中空立体形状をなし収縮時に上記上顎骨欠損部内方の欠損空間から抜き取り可能な栓塞子を製作し、上顎義歯床の受け部に栓塞子を気密的に固定するとともに、上顎義歯床又は受け部に上記栓塞子内部に気体を注入して保持する一方上記栓塞子内の気体を放出する注入弁を設けるようにしたことを特徴とする。
【００１５】
欠損空間の模型は例えば公知の印象材を用いて上顎骨欠損部内方の欠損空間の印象を採取し、採取した印象を用いて石膏模型を造型することができる。この模型の段階で、栓塞子が粘膜に触れる箇所や栓塞子の強度が必要な箇所をチェックし、模型を修正するのがよい。
【００１６】
膨張・収縮可能な材料は欠損空間の模型の表面に塗布してもよく、膨張・収縮可能な材料の中に模型を浸漬することにより模型の表面に付着させるようにしてもよい。
【００１７】
栓塞子は上顎義歯床の受け部に気密的に固定する。固定の方法は受け部及び栓塞子の材料の相性等を考慮して適宜選択すればよい。
【００１８】
この場合においても受け部は上顎義歯床に一体的に形成するか又は上顎義歯床に固定するのがよい。
【００１９】
【発明の実施の形態】
以下、本発明を具体例に基づいて詳細に説明する。図１及び図２は本発明に係る顎義歯の好ましい実施形態を示す。図において、顎義歯１０は義歯床１１に人工歯１１を気密的に固定するとともに義歯床１１の粘膜側の受け部１３に栓塞子１４を固定して構成されている。
【００２０】
義歯床１１はレジンを用いて製作され、人工歯１２にはレジン歯又は陶歯が採用されているが、公知のものと同様であるので、その詳細な説明は省略する。
【００２１】
栓塞子１４は上顎骨欠損部内方の欠損空間の立体形状をほぼ模した中空立体形状をなし、市販のラテックス（例えば  ＳＰＥＣＩＡＬ  ＥＦＦＥＣＴ  ＳＵＰＰＬＹ  ＣＯ．社製  商品名  ＭＡＳＫ  ＬＡＴＥＸ  ＩＵＳＱｔ．）を用いて膨張・収縮可能に製作されている。
【００２２】
また、義歯床１１には注入弁１５が取付けられている。この注入弁１５は栓塞子１４内にエアー（気体）を注入して保持する一方、必要に応じてエアーを放出する構造となっている。例えば、注入弁１５には図２に示されるように、筒体２０内にロッド２１を挿通させ、ロッド２１の一端に筒体２０の開口を封鎖する弁部２２を設け、ロッド２１には弁部２１を閉鎖方向に付勢するばね部材２３を外挿してなる構造を採用することができる。
【００２３】
注入弁１５は口腔内においてエアーの注入と放出を操作する必要があるので、口腔内で操作し得る部位に設けるのがよい。
【００２４】
本例の顎義歯を製作する場合、図３に示されるように、例えばアルジネート印象材を用い、歯槽及び上顎骨欠損居部の印象を採取し（工程Ｓ１０）、得られた印象から石膏模型を造型する（工程Ｓ１１）。この模型を用い、人工歯を配列しかつ歯肉を形成した蝋義歯を製作し（工程Ｓ１２）、蝋義歯を石膏中に埋設し、蝋を溶解させて流出させた後、その空所に例えばメタリックレジンを充填し、例えば電子レンジによってマイクロ波を照射して重合を行わせ、人工歯１２を固定した義歯床１１を取り出す（工程Ｓ１３）。なお、義歯の製作は従来と同様であるので、他の方法で製作することもできる。
【００２５】
得られた義歯床１１の所定の部位、例えば口腔内で操作しやすい部位から受け部１３に向けて貫通穴をあけ、貫通穴に注入弁１５を固定した後（工程Ｓ１８）、義歯床１１を研磨する。
【００２６】
他方、上顎骨欠損部より内方の欠損空間についてもアルジネート印象材を用いて印象を採取し（工程Ｓ１４）、例えば石膏材料を用い、得られた印象から欠損空間の模型を造型する（工程Ｓ１５）。この時、栓塞子１４が粘膜に触れると痛みを覚える箇所や栓塞子１４の補強すべき箇所をチェックし、対応する箇所が凹状又は凸状となるように模型の修正を行う。
【００２７】
得られた模型にラテックス（例えば  ＳＰＥＣＩＡＬ  ＥＦＦＥＣＴ  ＳＵＰＰＬＹ  ＣＯ．社製  商品名  ＭＡＳＫ  ＬＡＴＥＸ  ＩＵＳＱｔ．）を塗布し（工程Ｓ１６）、ラテックスが固まると、これを模型から剥がし、義歯床１１の受け部１３に接着する（工程Ｓ１９）。最後に、注入弁１５からエアーを注入し、エアー漏れがないか否かをチェックし、エアー漏れがなければ患者に試用させ、装着時や取外し時、あるいは咬合時に痛みを感じる否かをチェックし、痛みがなければ目的とする顎義歯１０が得られた訳である（工程Ｓ２０）。
【００２８】
本例の顎義歯１０を装着する場合、栓塞子１４を収縮させた状態にして、栓塞子１４を上顎骨欠損部から内方の欠損空間に挿入させながら顎義歯１０を口腔内に装着する。すると、栓塞子１４が収縮した状態であるので、上顎骨欠損部や欠損空間の粘膜に触れることはなく、使用者は痛みをほとんど感じることなく栓塞子１４を上顎骨欠損部からその内方の欠損空間に簡単に挿入することができる。
【００２９】
顎義歯１０がセットできると、注入弁１５からエアーを注入する。すると、注入弁１５のロッド２１がばね部材２３のばね力に抗して押されて弁部２２が筒体２０の開口を開き、エアーが栓塞子１４内に注入され、栓塞子１４は膨張して上顎骨欠損部内方の欠損空間を塞ぐ。エアーの注入を停止すると、注入弁１５のロッド２１がばね部材２３のばね力によって前方に押され、弁部２２が筒体２０の開口を封鎖し、栓塞子１４内のエアーは保持され、栓塞子１４は膨らんだ立体形状を保持されるので、顔面の筋肉や皮膚組織に膨らみを与えるので、瘢痕収縮が軽減されることとなる。
【００３０】
顎義歯１０を取り外す場合には注入弁１５のロッド２１を押すと、弁部２２が筒体２０の開口を開き、栓塞子１４内のエアーは外方に放出され、栓塞子１４は収縮するので、後は通常のように顎義歯１０を口腔外に取り出せばよい。この時、栓塞子１４が収縮しているので、取外しの際に上顎骨欠損部や欠損空間の粘膜に触れることはなく、使用者は痛みをほとんど感じることはない。
【図面の簡単な説明】
【図１】本発明に係る顎義歯の好ましい実施形態を示す正面からの斜視図である。
【図２】上記実施形態における注入弁の構造例を示す断面図である。
【図３】上記実施形態における製造方法の１例を示す図である。
【符号の説明】
１０        顎義歯
１１        義歯床
１２        人工歯
１３        受け部
１４        栓塞子（ラテックス、バルーン）
１５        注入弁（エアーバルブ）
【図１】
2004194932.tif 000003
【図２】
2004194932.tif 000004
【図３】
2004194932.tif 000005